(57)【要約】【課題】チューブ状容器の肩部と、あるいはまた、口筒部の残留物の回収具を提供する。【解決手段】  チューブ状容器の肩部の残留物を回収する為に、該肩部内の円錐台形状を挿入先端部に有する回収具とした。さらに、口筒部内の残留物も回収する為に、円錐台形の頂部に突起物を立設させた。該回収具は、各種サイズの円柱体、容器のキャップ、容器内容物に関連する小道具の中空の販売容器、これら道具の柄端部被せ具、などの形態で提供される。【選択図】図１
2008230695.tif 000002
【特許請求の範囲】
【請求項１】
チューブ容器の胴部を切開した後、該容器の内周全壁と接触する摺動部を先端部に有する挿入体を、その胴部開口部から挿入して内部残量物を該容器内部から外部へと排出可能とする残留物回収具において、
挿入対象のチューブ容器の肩部内空間に形成される円錐台形と同一の形状、もしくは、小さく近似する形状、のいずれかの形状を、前記挿入体の摺動部の形状とする事を特徴とする残留物回収具。
【請求項２】
請求項１に述べる残留物回収具の円錐台形摺動部の頂部に、該チューブ容器の口筒内に挿入可能な柱状突起物を設けるか、あるいは、その柱状突起物を該口筒内に挿通させ容器外へと突出させるか、のいずれかを施した事を特徴とする残留物回収具。
【請求項３】
請求項１、もしくは、請求項２、に述べる摺動部を挿入先端部に有する挿入体は、挿入対象とするチューブ容器胴部の内径と同等、もしくは、内径以下の柱状体である事を特徴とする残留物回収具。
【請求項４】
請求項３に述べる残留物回収具が、その挿入対象とするチューブ容器に装着される着脱可能なキャップを兼用する事を特徴とする残留物回収具。
【請求項５】
挿入対象とするチューブ容器の内容物を使用する道具が、歯ブラシ、整髪用クシ、絵筆、のいずれか一つである場合には、請求項３に述べる残留物回収具を中空構造とする事で該道具の全体、もしくは、その一部、いずれかを収納可能とした事を特徴とする残留物回収具。
【発明の詳細な説明】
【技術分野】
【０００１】本発明は、チューブ容器内の残留物回収具に関する。
【背景技術】
【０００２】  現在、小容量のチューブ容器に収納されたクリーム状商品は数多く存在し、多分野で使用されている。商品としては、歯磨き、整髪剤、化粧品、食品練り調味料、靴クリーム、合成糊、絵具、などがあり、多品種少容量の製品として店頭陳列される。
該チューブ容器は、薄肉の合成樹脂フィルム、又は、金属箔や紙などの積層フィルム体、等の素材の成形品であり、同一内径の円筒状か楕円状の胴部と、その端部を溶着した底部と、他端部に設けた円錐状か楕円錐状の肩部と、該肩部から立設する注出用の口筒部と、該口筒部に嵌合するキャップと、等で構成される。【０００３】（Ｊ１）容器胴部を押圧すれば新鮮な内容物を必要な量だけ得られる利便性ゆえに、大量に消費される結果、使用後のチューブ容器内部に残留する内容物も膨大な量になる。
この残留要因は、押圧しても容器肩部や口筒部の硬めの異形部に残留する要因１や、容器を倒立させても内容物が容器内壁に粘着する要因２や、等であって、少量であるが残存してしまう。
特に、小容量容器での残留比率は高く、学童が使用する絵具チューブや食卓上の香辛料チューブでは無駄に廃棄する割合が多い。小径のチューブゆえに胴部や容器肩部の圧迫抵抗が増す為である。【０００４】（Ｊ２）これらの残留物を回収する手段として、容器底部から順に容器胴部を圧迫して、口筒部方向へ内容物を集約させるローラー状押圧器具が各種考案されているが、円錐状に成型された容器の肩部を越えては操作出来ず、完全な回収は出来ない。【０００５】（Ｊ３）内容物を密閉化する為のキャップには、ネジコミ式や嵌着式のキャップ、及び、ヒンジ開閉式で分離不可のキャップ、等がある。これらキャップの頭部を平坦大型化して倒立可能とし、残留内容物を容器肩部に自然集積させる消極的な回収手法もあるが、容器の肩部領域の完全な回収は出来ない。【０００６】（Ｊ４）チューブ入りの製品に関連する道具には、歯ブラシ、整髪用クシ、絵筆、へら、スプーン、フォーク、等があり、使用者が把持する長い柄を持つ形態１と、細長い販売容器で吊り下げ陳列される形態２と、等が見受けられる。後者の場合、その多くの販売容器は中空半円柱状の透明樹脂容器で、開封後はゴミとして廃棄される。
【発明の開示】
【発明が解決しようとする課題】
【０００７】  上述の現状から、本発明の課題として、チューブ容器特有の円筒形状と内容物特有の物性を利用した回収手段とする課題１と、その回収手段がチューブ容器のキャップ自体を活用する手段とする課題２と、その回収手段がチューブ容器の内容物を使用する道具と強く関連用品とする課題３と、からいずれか一つ以上の解決を目指す。
【課題を解決するための手段】
【０００８】  上記課題を解決する為に、使用者自らがチューブ容器の胴部を切開した後、内周全壁と接触する摺動部を挿入先端部に有する挿入体をその胴部開口部から挿入する事で、内部残量物を容器外部へと排出可能とする残留物回収手法を採用した。
この手法が可能な理由は、チューブ容器の胴部が柔軟性を持つ材質である特性１と、その胴部が同一形状で連続する筒状である特性２と、胴部内壁に密着して移動する摺動体に対してクリーム状の内容物が潤滑性と密閉性を与える特性３と、等の諸特性による。【０００９】（Ｓ１）本発明ではチューブ容器肩部の残留物までも排出させる為に、挿入対象のチューブ容器の肩部内空間に形成される円錐台形と同一の形状、もしくは、小さく近似する形状、のいずれか形状を、前記挿入体の摺動部の形状とする回収具とした。【００１０】（Ｓ２）さらに、該容器肩部から立設する細長い筒状の口筒部内の残留物も排出させる為に、前記Ｓ１の円錐台形状摺動部の頂部に、該チューブ容器の口筒部内に挿入可能な柱状突起物を設ける。
その柱状突起物に厚みがあれば排出効果は高くなるし、あるいは、その柱状突起物を長い舌片状として容器外部へと突出させるならば、練り調味料を伸展するへら具としたり、筆代わりに絵具を塗りつけたり、あるいはまた、その端部に係止穴か、又は、切り離し可能な掛止用部材か、のいずれかを設けて吊り下げ可能としたり、等が出来る。【００１１】（Ｓ３）本発明の残留物回収具は、前記Ｓ１，２，のいずれかに述べる回収具の摺動部を挿入先端部に有する柱状の挿入体であって、挿入対象とするチューブ容器胴部の内径と同等、もしくは、内径以下の外径サイズで柱状挿入体を製作する。
特に、容器胴部の内径に近似した円柱挿入体とすれば、切開された該容器の内部へ挿入後に容器外皮とテープ貼付する事で簡易密閉栓の機能を得られる。この挿入体と該摺動部とは一体成型される事が望ましいが、円錐台形の摺動部だけを脱着可能にして、他の柱状部材端部に連結する手法もある。【００１２】（Ｓ４）別なる工夫として、該摺動部の円錐台斜面部に開口部を設け、その開口部に連なる内部空間を設ける結果、チューブ容器内へと回転挿入すれば、該回収具内部の溜まり空間へと残留物集積が可能とする手法もある。【００１３】（Ｓ５）挿入対象とするチューブ容器に装着される着脱可能なキャップ自体を、前記Ｓ３に述べる回収具と同一形状であるように成形すると、キャップ自体が残留物回収具を兼ねて、使用が容易である。
しかし、小径のキャップや、嵌着式の固定キャップ、キャップ頭部が異型のもの、等ではキャップ自体を活用出来ないので、上述の形状を有する汎用的な回収具も使用する。【００１４】（Ｓ６）本回収具の応用形態として、挿入対象とするチューブ容器の内容物を使用する道具が、歯ブラシ、整髪用クシ、絵筆、へら、スプーン、フォーク、のいずれか一つである場合には、前記Ｓ３、Ｓ４の残留物回収具を中空構造とする事で  該道具の全体、もしくは、その一部、いずれかを収納可能とする販売用容器兼用型とする事が出来る。【００１５】（Ｓ７）挿入対象とするチューブ容器の内容物を使用する道具が、歯ブラシ、整髪用クシ、絵筆、へら、スプーン、フォーク、のいずれか一つであり、該道具の柄部が前記チューブ容器の内径以下である場合には、該道具の柄端部を前記Ｓ１，２，のいずれかに述べる残留物回収具の摺動部と同一形状で成形するか、上記Ｓ３に述べるように、別工程で成形した該摺動体を着脱式に連結するか、の手法も考えられる。
【発明を実施するための最良の形態】  図面を参照して、本発明の実施の形態を説明する。
（Ｆ１）図１は第１の実施例であって、チューブ容器０１に装着される円柱状の容器キャップ自体０２を挿入体とし、その円柱状体の外径を挿入対象容器０１の胴部内径に近似して製作させたので、容器胴部内壁全体を安定的に摺動可能である。同時に、該キャップ頭部の形状を該容器０１の肩部０３の内空間に形成される円錐台と近似する形状としたので、該キャップ０２は肩部０３の斜壁内面まで挿入可能である。
その円錐台形状体の頂部には、該容器０１の口筒部０４を挿通し外部へ突出可能な楕円柱状突起物０５を立設させ、その端部には店頭での陳列掛止用の鉤手状部材０６を設けるが、それは数回の折り返し操作で切り離し可能とする半切断線０７を介している。
このチューブ容器０１の胴部下部に切断用ガイド線や、容器キャップ０２を摺動体として挿入する使用説明図や、等を印刷すると使用者が理解し易い。
【実施例】
【００１６】（Ｆ２）図２は第２の実施形態で、小径異型のキャップやヒンジ開閉式で分離不可のキャップ、用の汎用的な柱状回収具を兼ねる被せカバー形挿入体であって、やや柔らかい樹脂製である。該カバー状回収具０８は、その外径が挿入対象とする容器の胴部内径に近似させて製作され、その挿入頭部０９は該容器の肩部の内空間に形成される円錐台と同一の形状で摺動部を形成する。
加えて、該円錐台頭部０９の斜壁領域には環状段差１０を設けたので、押圧により内部へと陥没可能とする結果、通常は該容器を倒立させて陳列可能とした。この手段により、デザイン的に設計された小径キャップ容器でも倒立陳列が出来る。【００１７】（Ｆ３）図３は第３の実施形態で、挿入対象とする容器肩部の内空間に形成される円錐台と同一の頭部形状を有する回収型回収具１１である。その円錐台形頭部から該容器の口筒部へ挿入可能な舌片体１２を立設させると共に、円錐台斜面壁１３に開口部１４を設け、その開口部１４に脱着可能な袋体１５を固定具１６で連結する結果、該柱状回収具１１を回転挿入させると、内部残留物を袋体１５へも集積回収が可能、としている。
なお、この回転挿入操作には容器深部まで到達する挿入補助棒があると良い。【００１８】（Ｆ４）図４は第４の実施例で、挿入対象とする歯磨き用チューブ容器（図示略）の胴部内径に近似させて製作された中空の柱状歯ブラシ販売容器１７であって、内部に歯ブラシが安置可能である。該中空容器１７の端部１８は挿入するチューブ容器の肩部の内空間に形成される円錐台形に近似させた形状で摺動部１９を形成し、その円錐台形状の頭部２０から柱状突起物２１を立設させてチューブ容器の口筒部に挿入可能とし、該柱状突起物２１には切断可能な端部２２を設け、店頭陳列用の開口穴２３を有している。【００１９】（Ｆ５）図５は第５の実施例は絵筆２４の場合である。挿入対象とする絵具チューブ容器の胴部内径に近似させた被せ部材２５の端部２６は絵具容器の肩部の内空間に形成される円錐台形に近似させた形状であり、その円錐台形状の頭部２７からへら状突起物２８を立設させて絵具容器の口筒部から外部に突出するまで挿通可能としている。
この被せ部材２６は、絵筆２４の柄端部２６に装着可能なので、残留物回収具としての機能に加え、絵具容器の口筒部から突出したへら物２８を絵筆代わりに使用できる。
なお、被せ部材２５を挿入後に、小容量の絵具チューブ容器の胴部側壁との密着部を粘着テープで接着すれば、簡易なる密閉状態を得て絵具の固化を延期できる。
【図面の簡単な説明】
【００２０】
【図１】本発明の第１実施例で、容器キャップと陳列具を兼用する回収具である。
【図２】本発明の第２実施例で、汎用的な柱状挿入体で大小のサイズを揃える。
【図３】本発明の第３実施例で、円錐台斜面壁に開口部を設けた回収具である。
【図４】本発明の第４実施例で、陳列用中空容器が回収具を兼ねた実施例である。
【図５】本発明の第５実施例で、絵筆の端部が回収具を兼ねる実施例である。
【符号の説明】
【００２１】キャップ兼用回収具０２  チューブ容器０１  容器肩部０３  容器口筒部０４  楕円形突起物０５  鉤手状部材０６    半切断線０７  汎用カバー状回収具０８  挿入頭部０９  環状段差１０  円柱状回収具１１  舌片体１２  円錐台斜面壁１３  開口部１４  集積袋体１５  固定具１６  販売容器兼用回収具１７  端部１８  摺動部１９  頭部２０  柱状突起物２１  突起物端部２２  店頭陳列用の開口穴２３  絵筆２４  被せ部材２５  柄端部２６  頭部２７  へら状突起物２８
【図１】
2008230695.tif 000003
【図２】
2008230695.tif 000004
【図３】
2008230695.tif 000005
【図４】
2008230695.tif 000006
【図５】
2008230695.tif 000007